(57)【特許請求の範囲】
【請求項１】
上下レール、該レール間にあって複数の薄板により構成される薄板組、下レールに一端を固定し、各薄板に設けた貫通孔を上下に挿通して下レールを昇降する引き縄４１、及び各薄板の前後縁に固定された前後一対の垂直紐５１a、b、とこれら固定箇所の前後を結ぶ梯状縄５１cからなり、
さらに、各薄板は、垂直紐により上下等間隔に配置されると共に、
各垂直紐は、上下レール間でブラインドを展開状態とする長さに加えて最上部の薄板より上方に延長して収放縄５１d、eを設け、
これらの上方には巻車８１を設けると共にその下方に一対の回動椀木を備えた転向体５３を中心活軸５３ｃにより回動可能に設け、
延長した一対の収放縄をそれぞれ該回動体から腕木に巻き掛けして巻車に巻付けることにより、
巻車の回転によって収放縄を昇降させて展開したブラインド上方に採光空間を形成すると共に転向体を回動させることにより展開した薄板組の角度を調整して、採光量を調整可能とした、
ことを特徴とする横式板すだれ。
【請求項２】
前記収放縄を巻き取る巻車及びその回転軸である活軸は、前記上レール内に配置されていることを特徴とする請求項1記載の横式板すだれ。
【請求項３】
前記活軸は、伝動装置を介して正逆方向に回転され、前記一対の収放縄は同期して操作可能とされていることをことを特徴とする請求項1記載の横式板すだれ。
【請求項４】
前記転向体は、中心活軸の両側に相対して形成された腕木状の構造体からなり、前記一対の収放縄はそれぞれ下方より上方に向けて該腕木末端の末端孔を挿通してから回転体を巻き掛けし、更に巻車に巻き付けることにより、回転体を経由した収放縄が巻車の回転操作により自由に昇降し、且つ転向体の回動操作によって、前記薄板の角度を変更可能としたことを特徴とする請求項1記載の横式板すだれ。
【発明の詳細な説明】
【０００１】
【発明の属する技術分野】
本発明は横式板スダレに関するもので、従来の横式板スダレのすべての使用方式が正常通り操作できるだけでなく、別に付け加えられた巻車の回転操作で薄板組の上部薄板が収放縄の同歩調収放によって任意の高度まで調整して降下できる。そして薄板組上部に薄板のない完全な空間の投光区域を形成できる。そして薄板組のさえぎるべき区域範囲中に展開された薄板の部分は依然として方向を変え光線を調節する功能を保有する。
【０００２】
【従来の技術】
横式板スダレを使用する時、従来の横式板スダレでは窓の上半部の良好な投光効果のみを保持したり、極端な場合僅かに窓の中間の一部分区域だけをさえぎり窓の上下区域を良好な投光効果のある区域として保持したりすることはできない。現存の横式板スダレの板スダレに窓口がさえぎられない投光区域は、薄板組および下レールの下方にだけできる。別に米国の特許によって薄板組上方に薄板にさえぎられない投光区域を形成できるが、薄板組は窓口の下縁に収蔵され一般人の横式板スダレの使用習慣に合わない。且つその横式板スダレは、明らかに上下の固定レールおよび中間に別に上ったり下ったりできる活動レールによって三組の軌道が形成されている。
【０００３】
【発明が解決しようとする課題】
本発明の目的は、薄板組が下に向って降下し展開して任意の高度になった時、薄板組上部を収放縄の調整で下レールに向って任意の高度に降ろすことができ、薄板組上方に完全に薄板のない投光区域が形成され、且つ展開部分の薄板は同時に原来の向きを変え、光を調節する功能を保有する横式板スダレを提供することである。
【０００４】
【課題を解決するための手段】
上記課題を解決するため本発明の横式板スダレは、従来のように薄板の角度調節用の梯状細ひもの前後の垂直縄上端よりには横向きの梯状細ひもを設けないのでそれぞれに一段の長さに収放縄が延長され、且つ各収放縄の延長された端部の先が薄板の角度調節用の転向体上に活動式に巻かれその後更に巻車上に巻かれ、前後両垂直縄の延長された端部は同歩調性の収放作用を有する。そして薄板組が上から下に向って展開してどのような高度に止まっても、該薄板組の上部は皆収放縄の調節で下レールに向って任意の高度に降ろすことができる。即ち巻車の回転をかりて操作し、薄板組の上部を降ろすことができる。そして薄板組の上部に薄板のない完全空間の投光区域を形成することができる。転向体を水平から正反向に９０度にテコ式に転動させ、それによって前後の両垂直縄は上下に相対的に移動し、薄板組のさえぎるべき区域範囲中で展開した部分の薄板は依然として方向を変え、光を調整する功能を保持する。
【０００５】
【発明実施の形態】
本発明は横式板スダレで、特に従来のように薄板の角度調節用の梯状細ひもの前後両垂直縄上端よりには横向きの梯状細ひもを設けず、それぞれ一段の長度に収放縄が延長され、且つ各収放縄延長された端部の先が薄板の角度調節用の転向体上に活動式に巻かれ、そして更に巻車上に巻かれ、前後両垂直縄の延長された端部は同歩調性の収放作用を有する。そして薄板組が上から下に向って展開してどのような高度に止まっても該薄板組の上部は皆収放縄の調節で下レールに向って任意の高度に降ろすことができる。そして薄板組上方に完全に薄板のない投光区域が形成される。且つ展開部分の薄板は同時に原来の向きを変え光を調節する功能を保有する。よって更に別の使用効果が増える。
【０００６】
板スダレは日をよけ、向きを変え、光線を調節および装飾する等の作用があり広く使用されているが、従来の板スダレは、図１に示すように上レール１０と、下レール２０と、複数の薄板より構成される薄板組３０と、一揃いの上下用引き縄４１を有する薄板収放装置４０と、複数本の梯状細ひも５１を有する薄板転向装置５０とを備える。その中の引き縄４１は左右対称に設置され、それによって平衡に下レール２０が控制され薄板組３０と同歩調で上下に動く。そして梯状細ひも５１の数目は板スダレの幅によって適当に設定される。そして使用時は上レール１０が窓の枠６０の上縁６１に固定され、引き縄４１を利用して、同歩調に上下収放で下レール２０および薄板組３０がコントロールされ、上レール１０より下に向って平行して放し降ろされて展開される。下レール２０および薄板組３０の各薄板を窓口６０の底縁６２まで降ろすと、図２に示すように、薄板組３０の各薄板は全部展開される。且つ展開された薄板は梯状細ひも５１を利用して調整、および控制され、薄板組３０は１８０度内で平行に上下に転向して薄板の方向を変え、光線を調節する功能が達成される。或いは下レール２０および薄板組３０が放し降ろされて窓口の中間の任意の高度の所で止まった時、図３に示すように、展開された上部の薄板３０ａは梯状細ひも５１を利用して向きを変え、光線を調節する功能が達成される。そして部分の下部の薄板組３０は展開せず下レール２０の上方にたたみ重なっている。又転向装置５０の操作方式、および配合して使用される部品は多くの異なる変った設計を有する。但し、転向操作の動作原理は皆似ている。即ち各梯状細ひも５１の前後両垂直縄５１ａおよび５１ｂの上端はそれぞれ前後相対する方向に転向体の上部表面中央部に固定（固定式に位置を定めるため）される。そして転向体は両方に同様の腕木があるテコ式転向体で水平を呈し、同一活軸上に設けられている。且つ両腕木は適当な距離を有し、そして転向棒５２の正反転操作（或いはその他方式の操作）で該活軸を正反向各９０度に回転するようにコントロールし、転向体５３が水平から正反向９０度にテコ式に転動し、それによって前後両垂直縄５１ａおよび５１ｂ間が上下に相対的に移動し、そして薄板をのせている各横向きの梯状細ひも５１ｃを上下に転向させ薄板の向きを変える操作功能が達成される。又前記図２、および図３に示すように使用状態が反対向きに実施されると、薄板組３０および下レール２０は再び上に向って上昇し上レール１０の下方に収蔵される。又薄板収放装置４０および転向装置５０の手動式或いは電動式方式による調節控制に関しては、目前に至るまですでに多くの異なる設計がある。そして薄板組３０を上端より下に向って平行に放し下し、任意の高度に展開でき（即ち薄板組３０および下レール２０が降ろされて窓口の底縁の所、或いは窓口の中間の任意の高度に停留でき）、反対向きに実施された時は再び上に向って上昇し収蔵され、窓口全体が完全に薄板にさえぎられない投光区域となるが、それは必ず薄板組および下レールの下方にあり、該薄板組は任意のさえぎる必要がある区域範囲のみをさえぎることができない。従来の横式板スダレでは、上半部には良好な投光効果を保持したり、極端な時は僅かに窓の中間の一部分区域だけをさえぎり、窓の上下部分区域を良好な投光効果のある区域として保持したりすることはできない。別に米国特許第５，４４３，１０８「ＵＰＷＡＲＤＬＹ  ＤＥＰＬＯＹＥＤ  ＰＲＩＶＡＣＹ  ＢＬＩＮＤ」では薄板組上方に薄板組にさえぎられない投光区域を形成できるが、薄板組は窓口の下縁に収蔵され一般人の横式板スダレの使用習慣に合わない。且つその横式板スダレは、上、下の固定レールおよび中間に別に上ったり下ったりできる活動レールによって三組の軌道が形成される。又別の上下の使用功能を有すると見なすことができる百折スダレ（ｐｌｅａｔｅｄ  ｓｈａｄｅ）は日よけスダレ上方の上レールが窓口の上縁に固定して設けられ、そして使用中全体の日よけスダレが降りて上レールから離れ、日よけスダレ上方に日よけスダレがさえぎられない投光区域が形成される。しかしこの百折スダレの日よけスダレ本体も、別の活動式上レールを増設して日よけ本体に連結する必要がある。そのため外観上二つの上レールがあるように見える。固定式上レール窓口の上縁に固定して設けられ、別に活動式上レールが日よけスダレ上端に連結され、そして固定上レール内の部品をかりて、活動上レールの昇降動作を操作控制する。そのため上下移動の時、活動上レールが窓口を横にはばむのがはっきりする。本発明の横式板スダレは従来の横式板スダレと前記上下移動の使用功能を有する百折スダレとを含むいかなる横式板スダレとも設計が同じではない。
【０００７】
本発明の主要な目的は横式板スダレを提供することにある。即ち横式板スダレ中、薄板の角度調節用の梯状細ひも５１を利用し該梯状細ひも５１前後の両垂直縄５１ａおよび５１ｂの原来の上端からは横向きの梯状細ひもを必要としないで、それぞれ一段の長さの収放縄５１ｄおよび５１ｅが延長され、該延長された端部の先が薄板調節用の転向体５３に活動式に巻かれ、更に巻車８１上にまわり巻かれて同一歩調で収放を控制できるようにする。即ち該巻車８１の回転をかりて操作控制し上部薄板組３０ａを直接調節降下することができ、薄板組上部に薄板のない完全空間の投光区域７０が形成される。
【０００８】
又、該前後両収放縄５１ｄおよび５１ｅの延長された端部が付け加えられた巻車８１に巻く前に、先に薄板の角度調節用の転向体５３上に活動式にまわり巻くことにより、薄板組３０がさえぎるべき区域範囲で展開された部分の薄板は依然として方向を変え光を調節する功能を保持するという目的が達成される。
【０００９】
更に、該前後両収放縄５１ｄおよび５１ｅの延長された端部がそれぞれ下方から上に向って転向体５３の腕木末端の穴を貫いて上に延び、そして巻車８１上を巻き、これによって収放縄５１ｄおよび５１ｅが活動式に転向体５３を巻くことになり自由に上下収放ができ、もう一つの目的の薄板の方向を変える功能が簡単に達成できる。
【００１０】
本発明は図１、図２、および図３に示すように従来の横式板スダレのあらゆる使用功能を保持している他、別に従来の横式板スダレでは達成できない特殊な使用功能、即ち図４、および図５に示すように、該薄板組３０の上部薄板３０ａは原梯状細ひも５１前後の垂直縄５１ａおよび５１ｂ上端のそれぞれの延長された端部、収放縄５１ｄおよび５１ｅで同歩調で放し降ろし、そして調節して任意の高度まで降ろすことができる。そのため直接薄板組３０の上方と上レール１０の間に薄板にさえぎられない完全投光区域７０が形成される。この時薄板組３０の上部薄板３０ａは上レール１０の上端に密着している所から下に向って降下し、下レール２０の上方に下部薄板３０ｂが増加してたたみ重なり、原来投光区域７０に展開して配列している薄板数が下に向って順序を追って押し進んで展開し、下部薄板３０ｂの同片数の薄板が下レール２０の上方にたたみ重なる。
【００１１】
そして図６、図７、図８、および図９に示すのは、本発明の横式板スダレの一つの比較的よい実施例である。即ち原来の梯状細ひも５１に改良を加え、梯状細ひも５１の前後両垂直縄５１ａおよび５１ｂの上端よりは横向きの梯状細ひも５１ｃを設けず、そしてそれぞれに一段長度の収放縄５１ｄおよび５１ｅが延長され、そして収放縄５１ｄおよび５１ｅの長度は長くて原来の梯状細ひも５１と同じ長さでよい。それによって上部薄板組３０ａが直接窓の底縁６２の所まで接近して降下できるからである。又上レール１０の内部に別に活軸８０が設けられ、該活軸８０は伝動装置に連結して配合することができる。そして利用者が外部から活軸を正反向の旋転動作に簡単に操作控制できる。それによって薄板組３０の上部薄板３０ａが上レール１０に密着した位置から下に向って降下し（例えば活軸８０が正転している時）、或いは巻き上げ収める時（例えば活軸８０が反転している時）、その中該伝動装置の結構には制限はない。又需要によって多種類の異なった設計ができる。手動式、或いは電動式を含めて、本発明の特徴的な点でなく一般の機械技術でできるため、ここでは詳述しない。又活軸８０は各梯状細ひも５１のために設けられた巻車８１に対応しているので収放縄５１ｄおよび５１ｅの末端は同定点定位で巻車上にあって、そのため活軸８０が正反に向って回転すると、同歩調で該収放縄５１ｄおよび５１ｅを巻き上げて収めたり、釈放したりする。即ち該前後両収放縄５１ｄおよび５１ｅは垂直に上下する収放動作で同歩調効果を達成する。
【００１２】
そのため収放縄５１ｄおよび５１ｅの下端の両垂直縄５１ａおよび５１ｂは平行に薄板組３０を収蔵したり釈放したりできる。又原梯状細ひも５１と巻車８１との間に薄板の角度調節用の転向体５３が設けられ、該転向体５３は周知の横式板スダレの原来の転向装置５０中の操作方式および活軸８０を利用してもよい。但しそのため転向体５３と収放縄５１ｄおよび５１ｅとの間の活動式に巻かれる定位方式を変更しなければならない。そのため該前後両収放縄５１ｄおよび５１ｅはそれぞれ下方から上に向って転向体腕木末端の穴５３ａおよび５３ｂが貫き通されて後収放縄は方向を変え、その先が転向体中心に向って引かれ、中心活軸５３ｃの下方を回り更に方向を変えて上に向きに巻車８１に巻かれ、こうして収放縄５１ｄおよび５１ｅが活動式に転向体５３を経てまわり、そして自由に上下収放状態を維持することができる。即ち薄板組３０上部３０ａがすでに放し降ろされているや否やに関わらず、或いはすでに任意の高度に降ろされていても、該転向体５３はテコ式回転で展開した部分の薄板に対して有効な向きを変える操作を進行させ、向きを変えたり光線を調節する功能を達成する。即ち使用時、横式板スダレの原有のすべての使用方式は正常通り操作できるだけでなく、別に該付け加えられた巻車８１の回転操作によって薄板組３０の上部薄板３０ａが収放縄５１ｄおよび５１ｅの同歩調収放によって任意の高度まで調整降下することができる。反対方向に実施すると、降下している上部薄板３０ａを順序通り上レール１０の所へ上昇させることができる。又原来の横式板スダレの使用状況に回復することができる。即ち確実に横式板スダレの使用功能を増進できる。又別に実際モデルをテストした結果、本発明の結構中の転向体５３の結構には制限がない。その大小、寸法或いは形状には多様の等効変化がある。そして又それは転向体腕木両尾端穴５３ａおよび５３ｂの形状、或いは中心活軸５３ｃの円径の大小、或いは中心活軸５３ｃの下方を経てまわる必要があるか否か、等をも含む。
【００１３】
又転向体５３の主要作用は該前後両収放縄５１ｄおよび５１ｅがそれぞれ下方から上方に向い、まず転向体５３の両腕木末端で方向の転換を「経過」し、そして両収放縄５１ｄおよび５１ｅは転向体５３のテコ中心に向って引き延ばされそして再びそれぞれテコ中心を「経過」して又方向を変え、上方に向きそして巻車８１の上をまわる。このように転向体５３の主要作用は両収放縄５１ｄおよび５１ｅが最もよい位置で転向を行うことで、転向体５３の両腕木がテコ式で転向をする時、比較的円滑で有効に薄板の角度を前後に転向するのを操作して控制し、簡単に薄板の向きを変え光線を調節することができる。更に図１０に示すように、図６、図７、図８、および図９とは別の等効設計結構は、その上に標示の相対応の部品図番号を照らし合せ参考にしている。本発明の構造およびその効果が達成できるのは前記使用功能の他に少なくとも下列の特点もある。
【００１４】
原梯状細ひもに改良を加え原来の横式板スダレにあるすべての使用功能、使用方式は皆変更せずに保留され、又使用者（消費者）の前からある使用習慣に影響せず操作上の困惑が増加されない。
【００１５】
その他のレールや大型の露出した部品を増加しない。そして原来の横式板スダレの全体美観を保有できる。
全体の結構の改良は簡単で且つ空間を取らない。異なる部品、および結構の各種横式板スダレの再改進にも適応でき、これによって使用者の選択が増える。
【００１６】
【発明の効果】
本発明の横式板スダレによって窓の上半部の良好な投光効果を保持する時や、極端な時は僅かに窓の中間の一部分区域だけさえぎり窓の上下区域を良好な投光効果のある区域として保持したい時も、自由に簡単に操作でき、且つさえぎりたい区域に展開された部分の薄板は依然として方向を変え光を調節する功能を保持する。又従来の横式板スダレの使用功能は皆変更せずに保留され、使用者（消費者）の前からある使用習慣に影響しないので操作上困惑せず、レールや大型部品を増加させない。そして従来の横式板スダレの全体美観を保有し、全体の構造の改良も簡単で空間を取らない。
【図面の簡単な説明】
【図１】従来の横式板スダレを示す外観斜視図である。
【図２】従来の横式板スダレの薄板組が放し降ろされている状態の正面図である。
【図３】従来の横式板スダレの薄板組が放し降ろされ窓の中間の任意の高度に展開している状態を示す正面図である。
【図４】本発明の第一実施例による横式板スダレの薄板組の上部薄板が図２の状態から更に降ろされた状態を示す正面図である。
【図５】本発明の第一実施例による横式板スダレの薄板組の上部薄板が図３の状態から更に降ろされた状態を示す正面図である。
【図６】本発明の第一実施例による横式板スダレの局部構造を示す外観斜視図である。
【図７】図６中の収放縄が転向体上に活動式に巻かれた状態を示す外観斜視図である。
【図８】図６中の薄板が水平状態を呈した状態を示す側面図である。
【図９】図６中の薄板が向きを変え光線が調節された状態を示す側面図である。
【図１０】本発明の第二実施例による横式板スダレを示す局部斜視図である。
【符号の説明】
１０    上レール
２０    下レール
３０    薄板組
３０ａ  上部薄板
４０    収放装置
４１    引き縄
５０    転向装置
５１    梯状細ひも
５１ａ、５１ｂ  垂直縄
５１ｃ    梯状縄
５１ｄ、５１ｅ  収放縄
５３    転向体
５３ａ、５３ｂ  末端穴
５３ｃ  中心活軸
７０    投光区域
８０    活軸
８１    巻車
【図１】
0003548542.tif 000002
【図２】
0003548542.tif 000003
【図３】
0003548542.tif 000004
【図４】
0003548542.tif 000005
【図５】
0003548542.tif 000006
【図６】
0003548542.tif 000007
【図７】
0003548542.tif 000008
【図８】
0003548542.tif 000009
【図９】
0003548542.tif 000010
【図１０】
0003548542.tif 000011